(57)【要約】      （修正有）【課題】脚の開閉を簡便且つ確実に行えるようにし、且つ大幅な輸送コストの削減を図り、その上安定性を一層向上させ、より大型なフェンスにも採用可能な球技用防球フェンスを提供する。【解決手段】短支柱６に回動自在な状態で取付けられた連結具１３に、両端を一体的に固定された下横バー１０とで枠体を構成し、この枠体にネットを架張設して球技用防球フェンスを形成し、収納時の支柱２の下端は、脚５又はこの脚を取付けた連結具か、或いはその両方に跨って上面を押さえる形で脚が下横バーの下方に収納される状態を保持し、使用時の支柱の下端は、上方から押す形で設置面に接し、脚の一定以上の開脚を防止して設置状態を安定させるようにするとともに、支柱と短支柱とを連結する連結具７は略３の字形を呈する二片を合わせ適宜な固定手段で形成し、更には、短支柱は、下横バーと短支柱とを連結する連結具８にはフリーな状態で取り付けられ、脚が設けられた連結具には一体的に固定した状態で設けられている。【選択図】図１
0003159952.tif 000002
【実用新案登録請求の範囲】
【請求項１】
下端にカバー１１を備え対向して佇立した支柱２と、
該支柱２の上部に連結具３を介して架設される上横バー４と、
上部にカバー１２を備え、下端は脚を備えた連結具８に一体的に固定して設けられるとともに、前記支柱２に一体的に取付けられた連結具７に上下動及び回動自在なフリーな状態で挿入通された短支柱６と、
端部にカバー９を備えた二片の脚を、中央部に縦穴を有する連結具８の左右から挿入して形成された脚５と、
前記短支柱６に、この支柱を回動及び上下動自在な状態で取付けられた連結具１３に、両端を一体的に固定された下横バー１０とで枠体を構成し、この枠体に、ネットを架張設して形成されたことを特徴とする球技用防球フェンス。
【請求項２】
対向して佇立した支柱２の下端は、収納時は、脚５又はこの脚を取付けた連結具８か、或いはその両方に跨って上面を押さえる形で、脚が下横バーの下方に収納される状態を保持し、使用時は、上方から押す形で設置面に接し、脚の一定以上の開脚を防止して設置状態を安定させることを特徴とする請求項１記載の球技用防球フェンス。
【請求項３】
符号３、７、８、１３の各連結具は、二片を合わせ、適宜な手段で固定して形成したことを特徴とする請求項１記載の球技用防球フェンス。
【請求項４】
下横バーと短支柱とを連結する連結具１３の縦穴には、短支柱の下方が回動及び上下動自在なフリー状態で取り付けられ、横孔には下横バーの端部が一体的に固定した状態で取付けられていることを特徴とする請求項１及び請求項２記載の球技用防球フェンス。
【考案の詳細な説明】
【技術分野】
【０００１】  本考案は屋外で行われる例えばテニス、室内で行われる例えば卓球などの球技で、競技中のみ競技場の周囲に設置して使用され、競技終了後は撤収される球技用の防球フェンスに関するものである。
【背景技術】
【０００２】  これらの用途に使用される従来の一般的な球技用防球フェンスは、左右に配された脚に連結管を介して支柱を対向して佇立して設け、この支柱の上下に横バーを架設して枠体を構成し、該枠体に防球ネットを架張設されたタイプのものが最も一般的なものとして知られている。
しかしながらこれらの従来品は、脚は固定されたままであるため、収納するときは嵩張るため大きいスペースを必要としていた他、梱包がし難く、その上、輸送コストがかかる等の課題を有していた。
そこで出願人は本考案の案出に先立ち、脚を連結管の下方に収納可能にして全体的容積を小さくして、収納スペースが小さく済むようにし、大幅な輸送コストの削減を図る球技用防球フェンスを考案し、実用新案登録第３１０１４６３号として製品を提供している。
【先行技術文献】
【特許文献】
【０００３】
【特許文献１】実用新案登録第３１４３２３４号
【特許文献２】実用新案登録第３１０１４６３号
【特許文献３】実用新案登録第３０５１１１１号
【特許文献４】実用新案公開平０１−１１２８７４号
【特許文献５】特許出願公開２０００−３１７０２５
【特許文献６】特許出願公開２０００−２４５８８４
【特許文献７】特許出願公開平１０−１１８２３０
【考案の概要】
【考案が解決しようとする課題】
【０００４】  本考案が解決しようとする課題は、従来品が有する上記欠点を除去した球技用防球フェンスを提供しようとするものであり、更には、先の考案以上に脚の開閉を簡便且つ確実に行えるようにするとともに、設置時の安定性を一層向上させて、より大型なタイプのものにも採用可能な球技用防球フェンスを提供しようとするものである。
【課題を解決するための手段】
【０００５】下端にカバー１１を備え対向して佇立した支柱２と、
該支柱２の上部に連結具３を介して架設される上横バー４と、
上部にカバー１２を備え、下端は後記脚連結具８に一体的に固定して設けられるとともに、前記支柱２に一体的に取付けられた連結具７に上下動及び回動自在なフリーな状態で挿入通された短支柱６と、
端部にカバー９を備えた二片の脚を、中央部に縦穴を有する連結具８の左右から挿入して形成された脚５と、
前記短支柱６に、この支柱を回動及び上下動自在なフリーな状態で取付けられた連結具１３に、両端を一体的に固定された下横バー１０とで枠体を構成し、この枠体に、ネットを架張設して形成した球技用防球フェンスを提供することで課題を解決するための手段としている。【０００６】  更には、対向して佇立した支柱２の下端は、収納時は、脚５又はこの脚を取付けた連結具８か、或いはその両方に跨って上面を押さえる形で、脚が下横バーの下方に収納される状態を保持し、使用時は、上方から押す形で設置面に接し、脚の一定以上の開脚を防止して設置状態を安定させ、又、図中符号３、７、８、１３の各連結具は二片を合わせ、適宜な固定手段で形成している他、下横バーと短支柱とを連結する連結具１３の縦穴には、短支柱６の下方が回動及び上下動自在なフリー自在な状態で取り付けられ、横孔には下横バー１０の端部が一体的に固定した状態で取付けられていることを特徴とする球技用防球フェンスである。
【考案の効果】
【０００７】  本考案の球技用防球フェンスは、前記のような構成を有するものであるから以下の効果を奏する。
（１）使用時に競技者が触れたり或いは強い打球が当たったりと、何らかの理由で力がフェンスに加わり、そのために脚が動くことがあっても、佇立の支柱の下端が床面などの設置面に上から押さえる形で脚の外側に存在しているので、設置の安定を欠く以前に、一定以上に開脚することを防止するストッパーの働きを果たし、設置に支障が生じる事態にならない。【０００８】（２）本考案によれば、収容時における支柱の下端は、上方から脚または脚を設けた連結具或いはその両方に跨って、これらを上から押さえるようにして位置するので、下横バーの下方に納められている脚の状態は、支柱を上方に持ち上げない限り、嵩張らない状態が保持される。【０００９】（３）使用するときは、支柱を上方に持ち上げれば脚部を上から押さえるような状態が解け、脚５と短支柱６の下端とは一体的に固定されており、支柱に取り付けられた連結具１３及び連結具７とはフリー状態を呈しているので、脚を回転させれば開脚可能となり、安定した状態で設置できる効果を奏する。【００１０】（４）本考案の材料は、一部の部品を除けば殆どが樹脂パイプで形成されても何ら差し支え無いことから、全体的に軽量化を図る事ができるので、学校の現場で児童・生徒でも設置及び撤収が容易に行えるばかりでなく、その上、設置時の安定性も高く且つ、軽量化を図れることからフェンスの大型化も可能となる。
【図面の簡単な説明】
【００１１】
【図１】本考案の全体の構成を説明する図である。
【図２】収納時から使用時に至る本考案要部の作動を説明する図である。
【図３】脚を開脚するときの要部の作動を説明する図である。
【図４】脚の開脚を終え、設置するときの本考案要部の作動を説明する図である。
【図５】使用時において脚の一定以上の開脚は支柱によって阻止され、安定性が確保し、保持される作用を説明する図である。（一部切欠）
【図６】短支柱と下横バーとの連結具、短支柱と脚の連結具との部位を一部切欠断面で詳細に説明する図である。
【考案を実施するための形態】
【００１２】  本考案の球技用防球フェンス１は、ネット（図示省略）、支柱２、上横バー４、短支柱６、下横バー１０、脚５のパイプで形成される枠体を構成する五つの主要な部材と、支柱２と上横バー４とを連結する角の連結具３、支柱２と短支柱６とに設けられる２片を適宜な方法で合体させて形成された外形が略８の字形を呈する連結具７、短支柱６と下横バー１０とを連結する連結具１３、左右から挿入して脚５を形成するとともに、短支柱６が挿入されて一体的に取り付けられる縦穴を有する連結具８とで構成される。
【００１３】  支柱２と上横バー４とを連結する角の前記連結具３はパイプ状で、支柱と上横バーのそれぞれの両端部に溶着や接着などの適宜な方法で一体的に固定して設けられ、支柱と横バーを強固に連結している。尚、該連結具は樹脂製でも金属性でもその素材は問わない。
【００１４】  支柱２と短支柱６とが挿通する形で設けられる外形が略８の字形を呈する連結具７は、略３の字形を呈する二片を左右から合わせてネジ等の適宜な止め具で合体して形成され、支柱とは一体的に固定され、短支柱とは回動及び上下動自在なフリー状態で設けられる。
本考案では、後記説明の脚の収納と開脚は重要な作用であり、この重要な作用は、該連結具と短支柱とのスムーズな上下動や回動がとりわけポイントとなる。従って、短支柱の動きがスムーズに行われることが求められる事から、少なくとも該部位には摩擦が少なく且つ耐久性に富む、例えば別体のナイロン樹脂リングを内面に取り付ける等の手段が講じられる事が望ましい。
【００１５】短支柱６と下横バー１０とに設けられる連結具１３は、短支柱とはフリー状態で、下横バーとは適宜な方法で一体的に固定されて設けられる。尚、この連結具は短支柱と下横バーとを挟むような形で二片を合わせ形成される形のものが、製作上効率が良い。
従って該連結具１３は、少なくともこの部位は耐摩耗性が高く、且つ耐久に富む例えばナイロン樹脂製等で作られるか、或いは別体の摩擦の少ない樹脂リングを短支柱が上下動や回転をする内周に用いるなどの手段を講じる事が望ましい。
何故ならば該部位の回転、即ち、脚の下横バー下部への収納と開脚は、前記支柱２の上下動と共に、本考案においては最も重要な作用の一つである。
【００１６】  脚５は、適宜長の部材二片を、縦穴を有する連結具８の左右から挿入されて形成され、この縦穴は中央部に設けられていることが望ましく、脚及び前記縦穴に挿入された短支柱６は、ともに該連結具と一体的に固定されて取り付けられている。尚、該フェンスはしばしば体育館内に設置されることがあるので、金属製の場合は床面に疵を付ける事を防止する意味合いから、この連結具は樹脂製であることが望ましい。
【００１７】  前記説明のように、ネット（図示省略）が架張設されて形成される本考案フェンスの枠体は、支柱２、上横バー４、短支柱６、下横バー１０、脚５のパイプで五つの主要な部材で構成されていて、これらの部材の他に、図中符号３、７、８、１３で示される連結具が前記主要部材を連結しており、前記説明の連結具１３以外の各連結具も図示のものに限定される事無く、例えば二片を合わせ、適宜な方法で合体固定されて形成されるものでも差し支え無い。
【００１８】  パイプ状で作られ対向して佇立される支柱２は、このフェンスの全体的な高さを決定付けるもので、その上端は角連結具３に挿入されて一体的に固定され、下方には前記連結具７が一体的に設けられ、その下端にはカバー１１が備えられ、このカバーは異物の混入を防いでいる他に、使用時には設置面との接面となり、安定した設置状態を保持する役目を果たしている。
また、収納時における該カバーは、脚５及び該脚が取り付けられている連結具８或いはその両方に跨って、それらの上部に位置し、下横バー１０の下方に収納された脚を上方から押さえ、この状態を保持する役目を果たす。
【００１９】  パイプ状で作られている上横バー４は、このフェンスの全体的な長さを決定付けるもので、その両端はそれぞれが適宜な長さが角連結具３に挿入され一体的に固定されている。
【００２０】  下横バー１０は、このフェンスの枠体を形づくる上で、上横バー及び支柱と共に重要な役目を果たすもので、上横バーと上下に対向する形で配され、その両端は前記説明の連結具１３に適宜な長さが挿入された上で、両端それぞれが一体的に固定されている。
【００２】  左右に対向する形で配される短支柱６は、脚の収納と開脚の作用に係る主要部材の一つで、その上端にはカバー１２を備え、雨や異物等の混入を防いでいる他に、上下動自在な前記連結具７のストッパーの役目も果たしていて、一方の下方は、下横バー１０が連結された連結具１３を挿通して連結具８の縦穴に挿入されて一体的に固定される。
即ち短支柱６は、連結具１３とは上下動及び回動自在なフリー状態であり、連結具８とは一体に固定的されている。
【００２２】  つまり、この部位が本考案で最も重要な作用をなすもので、短支柱に対し、脚は一体的であるが、下横バーを設けた連結具１３に短支柱はフリー状態に設けられることがポイントである。
要は、この作用がなされるものであれば、その取り付け方法は図示のものに限定されず、適宜な他の方法であっても差し支え無い。
【００２３】  脚５は、対向して佇立する短支柱の下方に設けられ、収納時は下横バー１０の下に収まり、使用時は回動して開脚し、設置の安定に大いなる役割を果たすべく適宜な長さを有していて、その両端にはカバー９を一体的に備え雨や異物等の混入を防いでいる。
【００２４】  連結具８の両端から二片を挿入して形成された該脚は、挿入後連結具８と一体的に固定されたもので、下横バー１０の下方に収まっている収納時の状態から、使用時は回動して開脚し、図３，図４の使用状態を呈するのは、前記連結具８の縦穴に短支柱が一体的に設けられていることと、この脚が連結具８に一体的に設けられて形成されているためによるものである。
【００２５】  連結具１３に短支柱６の挿入はフリーな状態で、下横バーとこの連結具１３は一体的である。つまり前記説明のように、短支柱は連結具８に一体的であり、下横バーの端部が挿入固定された連結具１３に束縛されること無く自由な動きが保証されている。
従って、収納と使用の都度に脚は回動開脚作用が行われるので、動作が円滑に行われ且つ耐磨耗性に対する対策が連結具１３において必要で、例えば、ナイロン樹脂製のリングをこの連結具１３の内壁に備えるなどの考慮がなされることの理由がここに在る。
【実施例】
【００２６】  図面に示す実施例に基づき本考案を説明すると、図示を省略したネットを除くと、本考案の球技用防球フェンス１は、図１にその全体を示したように、五つの主要部材と重要な役目を持つ四つの連結具から枠体を形成している。【００２７】  第一の主要部材は、左右に配されて佇立する支柱２で、第二の主要部材は、該支柱の上端部に架設される上横バー４、第三の主要部材は、前記支柱２の其々の内方に配され佇立する短支柱６、第四の主要部材は、該短支柱６の下方間に架設される下横バー１０、第五の主要部材は、前記短支柱６の下端部に設けられる脚５である。【００２８】  重要な役目を担う四つの連結具の中の一つ目は、支柱２と横バー４とを連結する角連結具３、二つ目は、前記支柱２と短支柱６とを連結する役目の外形が略８の字形を呈する連結具７、三つ目は、この短支柱６と下横バー１０とを連結する役目の連結具１３、四つ目は、二片を左右から挿入して形成した脚５と短支柱６とを連結する役目を担う連結具８である。【００２９】  図２は、支柱２を図中矢印方向に支柱を持ち上げて、脚５及び連結具８を上方から押さえていた状態から解くことで、本考案球技用防球フェンスが、収納時から使用に至るときに必要な要部の作動を説明する図である。【００３０】  図３は、収納時から使用に至るときの図２の次の作動順を説明する図で、支柱２を図中矢印方向に持ち上げ、支柱が脚５及び連結具８、或いはその両方を上方から押さえていた状態から解いて、脚５を図中矢印方向に回動及び開脚を自由として下横バー１０と脚５とはＴ字形を呈するように開脚し使用状態に近づけたものである。【００３１】  図４は、図３の次の作動順を説明する図で、支柱２は図中矢印方向に下げられ、脚５と  ともに床或いは地面の設置面に接し、使用時における本案フェンスの設置を安定させて保持している状態を示したものである。【００３２】  図５は、本考案フェンスを設置して使用時における安定性の作用にについて説明するもので、仮に選手が勢いで、或いは競技中のボールが強く当り、脚５が左右いずれかに動くことがあっても、脚は支柱に当たり、一定以上は開脚しないようにするストッパーの役目を果たし図５の状態以上に脚が開動することが無い。【００３３】  図６は、下横バー１０を一体的に固定した連結具１３と短支柱６との関係状態並びに、脚５を一体的に固定した連結具８と短支柱６との関係状態を断面で（一部切欠）で説明するもので、短支柱６は連結具１３とは上下動並びに回動自在なフリー状態で挿通されており、短支柱６との接する連結具１３の全周壁には、短支柱６の動きを阻害すること無く円滑な動きを促進する、例えば樹脂製のリング１５を設けている。
また、脚５を一体的に固定した連結具８の中央部に設けた縦穴に挿入された短支柱６の下端部位は、連結具８と一体的に固定されている。
【産業上の利用可能性】
【００３４】  本考案の球技用防球フェンスは、ネット（図示省略）、支柱、上横バー、短支柱、下横バー、脚のパイプで形成される五つの主要な部材と、支柱と上横バーとを連結する角連結具、支柱と短支柱とを連結する外形が略８の字形を呈する連結具、短支柱と下横バーとを連結する連結具、脚と短支柱とを連結する連結具とで構成されているもので、軽量でしかも収納と使用との切り替え操作も簡便に行うことができ、且つ使用時の安定性・安全性も高い。
したがって、収納して保管する際にもスペースも少なくて済むばかりでなく、大幅な輸送コストの軽減も図れるもので、これらのこのことは従来品では得る事のできない効果を奏し、且つ此れと言って製造上の問題点も無いことから産業上の利用可能性は頗る高い。
【符号の説明】
【００３５】１球技用防球フェンス体    ２支柱    ３角連結具    ４上横バー    ５脚
６短支柱    ７，８連結具    ９カバー    １０下横バー    １１，１２カバー
１３連結具    １５リング
【図１】
0003159952.tif 000003
【図２】
0003159952.tif 000004
【図３】
0003159952.tif 000005
【図４】
0003159952.tif 000006
【図５】
0003159952.tif 000007
【図６】
0003159952.tif 000008
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
下端にカバー１１を備え対向して佇立した支柱２と、
該支柱２の上部に連結具３を介して架設される上横バー４と、
上部にカバー１２を備え、下端は脚を備えた連結具８に一体的に固定して設けられるとともに、前記支柱２に一体的に取付けられた連結具７に上下動及び回動自在なフリーな状態で挿入通された短支柱６と、
端部にカバー９を備えた二片の脚を、中央部に縦穴を有する連結具８の左右から挿入して形成された脚５と、
前記短支柱６に、この支柱を回動及び上下動自在な状態で取付けられた連結具１３に、両端を一体的に固定された下横バー１０とで枠体を構成し、この枠体に、ネットを架張設して形成されたことを特徴とする球技用防球フェンス。
【請求項２】
対向して佇立した支柱２の下端は、収納時は、脚５又はこの脚を取付けた連結具８か、或いはその両方に跨って上面を押さえる形で、脚が下横バーの下方に収納される状態を保持し、使用時は、上方から押す形で設置面に接し、脚の一定以上の開脚を防止して設置状態を安定させることを特徴とする請求項１記載の球技用防球フェンス。
【請求項３】
符号３、７、８、１３の各連結具は、二片を合わせ、ネジ等の止め具或いは溶着や接着等の手段で固定して形成したことを特徴とする請求項１記載の球技用防球フェンス。
【請求項４】
下横バーと短支柱とを連結する連結具１３の縦穴には、短支柱の下方が回動及び上下動自在なフリー状態で取り付けられ、横孔には下横バーの端部が一体的に固定した状態で取付けられていることを特徴とする請求項１または２記載の球技用防球フェンス。